(57)【要約】【課題】デッキユニットを自由に連結して従来にない展開性に富んだ新しい空間を造る。【解決手段】２本の桁２、２の間に妻桁３を配置して枠組みした桁枠と桁枠の上に取りつけた踏み板５とからなる複数のデッキユニットＡを連結金具を介して連設することにより建物のまわりに配設するデッキ連設構造であって、デッキユニットＡを直列的に連設するときは、互いに突き合わせられた桁２の小口同士を第１連結金具２２を介して連結し、デッキユニットＡを並列的に連設するときは、互いに隣接した桁２の外側面同士を第２連結金具２３を介して連結するとともにデッキユニットＡを直角に連設するときは、一方のデッキの桁２の小口と他方のデッキの桁２の外側面とを第３連結金具２４を介して連結した。【選択図】図２
2009197524.tif 000002
【特許請求の範囲】
【請求項１】
平行な桁の間に妻桁を配置して枠組みした桁枠の上に複数の踏み板を取りつけた複数のデッキユニットを連結金具を介して連設することにより建物のまわりに配設するデッキ連設構造であって、２つのデッキユニットを直列的に連設するときは、互いに突き合わせられた桁の小口同士を第１連結金具を介して連結し、２つのデッキユニットを並列的に連設するときは、互いに隣接した桁の外側面同士を第２連結金具を介して連結するとともに、２つのデッキユニットを直角に連設するときは、一方のデッキの桁の小口と他方のデッキの桁の外側面とを第３連結金具を介して連結したことを特徴とするデッキ連設構造。
【請求項２】
上記第１連結金具は上記桁の側面に固定可能なプレート金具で構成され、上記第２連結金具は、上記桁の側面に固定されて上記側面から外側に突出するジョイント部を有する側面金具と、上記両金具のジョイント部間に設けられた第１連結プレートとで構成され、上記第３連結金具は、桁の小口に固定されて桁の延長方向に突出するジョイント部を有する桁小口金具と、桁の側面に固定されて上記側面から外側に突出するジョイント部を有する側面金具と、上記両金具のジョイント部間に設けられた第２連結プレートとで構成されていることを特徴とする、請求項１に記載のデッキ連設構造。
【請求項３】
上記踏み板の上記桁からの張り出し寸法と、妻桁からの張り出し寸法とを同寸としたことを特徴とする、請求項１又は２に記載のデッキ連設構造。
【請求項４】
上記桁は、側面に沿って側溝が形成された中空状の長尺材であって、上記側溝には、上記第１の連結金具と上記第２の連結金具のうちの側面金具とが取り付け可能に形成され、少なくとも上記側面金具は上記側溝に沿ってスライド可能に取り付け可能としたことを特徴とする、請求項１〜３のいずれかに記載のデッキ連設構造。
【請求項５】
上記桁及び妻桁は、上記踏み板の取付面を有する取付部と取付部の下部両側の側面部の長手方向に沿って形成された側溝と両側面部の下部を連結する下面部の長手方向に沿って形成された下溝とを有する中空状の桁本体と、上記側面部と下面部にそれぞれ取り付けられた断面円弧状のカバーとにより、上記取付部の下方の外形が略円柱状に形成されていることを特徴とする、請求項１〜４のいずれかに記載のデッキ連設構造。
【発明の詳細な説明】
【技術分野】
【０００１】
本発明は、長方形の桁枠の上に踏み板を取り付けてなる複数のデッキユニットを建物のまわりに連設して回廊のように展開するデッキ連設構造に関する。
【背景技術】
【０００２】
一般に、建物の庭などに木製や金属型材製のデッキを配することが行われている。たとえば規格木材によって高いデッキユニットと低いデッキユニットを組み合わせて並べることにより、屋外に大きなデッキスペースを造る技術が知られている（特許文献1参照）。
【０００３】
ところが、このような木材によるデッキは高価であり、簡単に設置することはできない。そこで、この問題を解消するものとして、デッキ材をアルミニウム等の押出型材で構成したものも知られている（特許文献２参照）。
【特許文献１】特開平７−２７９２４１号
【特許文献２】特開２００６−２８３２８２
【発明の開示】
【発明が解決しようとする課題】
【０００４】
しかしながら、従来のデッキは、屋外の一部にしか展開できないものであり、より展開性のあるデッキ連設構造が求められていた。
【０００５】
本発明は上記問題点を解消し、例えば玄関、庭、勝手口、駐車スペースから再び玄関に戻るというように、人の動線に沿って建物のまわりを回廊のように囲んだり、その一部のみを広くしたり、一部から分岐したりというように、デッキユニットを自由に連結して従来にない展開性に富んだ新しい空間を造ることができるデッキ連設構造を提供することをその課題とする。
【課題を解決するための手段】
【０００６】
上記課題を解決するため、請求項１に係る発明は、平行な桁の間に妻桁を配置して枠組みした桁枠の上に複数の踏み板を取りつけた複数のデッキユニットを連結金具を介して連設することにより建物のまわりに配設するデッキ連設構造であって、２つのデッキユニットを直列的に連設するときは、互いに突き合わせられた桁の小口同士を第１連結金具を介して連結し、２つのデッキユニットを並列的に連設するときは、互いに隣接した桁の外側面同士を第２連結金具を介して連結するとともに、２つのデッキユニットを直角に連設するときは、一方のデッキの桁の小口と他方のデッキの桁の外側面とを第３連結金具を介して連結したことを特徴とする。
【０００７】
請求項２に係る発明は、請求項１において、上記第１連結金具は上記桁の側面に固定可能なプレート金具で構成され、上記第２連結金具は、上記桁の側面に固定されて上記側面から外側に突出するジョイント部を有する側面金具と、上記両金具のジョイント部間に設けられた第１連結プレートとで構成され、上記第３連結金具は、桁の小口に固定されて桁の延長方向に突出するジョイント部を有する桁小口金具と、桁の側面に固定されて上記側面から外側に突出するジョイント部を有する側面金具と、上記両金具のジョイント部間に設けられた第２連結プレートとで構成されていることを特徴とする。
【０００８】
請求項３に係る発明は、請求項１又は２において、上記踏み板の上記桁の外側面からの張り出し寸法と、妻桁の側面からの張り出し寸法とを同寸としたことを特徴とする。
【０００９】
請求項４に係る発明は、請求項１〜３のいずれかにおいて、上記桁は、側面に沿って側溝が形成された中空状の長尺材であって、上記側溝には、上記第１の連結金具と上記第２の連結金具のうちの側面金具とが取り付け可能に形成され、少なくとも上記側面金具は上記側溝に沿ってスライド可能に取り付け可能としたことを特徴とする。
【００１０】
請求項５に係る発明は、請求項１〜４のいずれかにおいて、上記桁及び妻桁は、上記踏み板の取付面を有する取付部と取付部の下部両側の側面部の長手方向に沿って形成された側溝と両側面部の下部を連結する下面部の長手方向に沿って形成された下溝とを有する中空状の桁本体と、上記側面部と下面部にそれぞれ取り付けられた断面円弧状のカバーとにより、上記取付部の下方の外形が略円柱状に形成されていることを特徴とする。
【発明の効果】
【００１１】
請求項１に係る発明によれば、１種類のデッキユニットと３種類の連結金具とによって、デッキユニットを直列にも並列にも直角にも連設することが自由にできるので、多様なバリエーションの連結態様が得られるので、デザインの自由度が高く、人の動線に沿って建物のまわりを回廊のように囲んだり、その一部のみを広くしたり、一部から分岐したりというように、デッキユニットを自由に連結して従来にない展開性に富み、意匠性に優れた新しい空間を造ることができる。
【００１２】
また、簡単な構造の連結金具によりデッキユニットを連結できるので、施工性がよい。
【００１３】
さらに、デッキユニットはアルミニウムの押出型材によって構成することができるので、コストを低く抑えることができる。
請求項２に係る発明によれば、上記連結金具が全部で５種類の金具によって、デッキユニットを直列にも並列にも直角にも連設することが自由にできるので、施工性がよい。
【００１４】
請求項３に係る発明によれば、上記踏み板の上記桁の外側面からの張り出し寸法と、妻桁の側面からの張り出し寸法とを同寸としたので、幅違いのデッキユニットを連結する場合も、上記第１〜第３連結金具を用いて連結することができる。
【００１５】
請求項４に係る発明は、桁の側溝には、第１の連結金具と上記第２の連結金具のうちの側面金具とが取り付け可能に形成され、少なくとも上記側面金具は上記側溝に沿ってスライド可能に取り付け可能に構成されているから、側面金具は桁や妻桁の任意の位置に固定することができ、施工性がよい。
【００１６】
請求項５に係る発明によれば、桁及び妻桁は、踏み板の取付面を有する取付部と取付部の下部両側の側面部の長手方向に沿って形成された側溝と両側面部の下部を連結する下面部の長手方向に沿って形成された下溝とを有する中空状の桁本体と、上記側面部と下面部にそれぞれ取り付けられた断面円弧状のカバーとにより、上記取付部の下方の外形が略円柱状に形成されているので、デッキユニットの桁を見掛け上は円柱のように見せることができる。したがって、全体のデッキスペースが丸太状に連設されているような美的外観が得られる。
【発明を実施するための最良の形態】
【００１７】
図１は本発明に係るデッキ連設構造の全体の平面図であり、図２はその一部の斜視図である。上図において符号１は建物であり、建物１の周りにはデッキスペースが回廊状に形成されている。このデッキスペースは、複数のデッキユニットＡにより構成され、イ部分はデッキユニットＡを直列方向に連設し、ロ部分はデッキユニットＡを並列方向に連設し、またハ部分はデッキユニットＡを直角に連設することによって構成されている。
【００１８】
各デッキユニットＡは、図３に示されるように、それぞれアルミニウムの押出型材から構成された２本の桁２、２の間に２本の妻桁３、３を配置して枠組みした桁枠４と桁枠４の上に取りつけた踏み板５とからなり、それぞれすべて同じ大きさに形成されている。なお、桁２と妻桁３と踏み板５の数は上記形態に限定されない。
【００１９】
上記桁２は図４及び図５（ｃ）に示されるように、中空状の桁本体２ａと側面カバー２ｂ、下面カバー２ｃとからなり、桁本体２ａには、踏み板５の平面状取付面を有する取付部６と取付部６の下部両側の側面部７の長手方向に沿って形成された側溝８と両側の側面部７の下部を連結する底部１１の長手方向に沿って形成された下溝１０とが設けられている。カバー２ｂ、２ｃは断面円弧状に形成されている。
【００２０】
側面部７の上端は取付部６の下端に向けて傾斜し、側面部７の下端縁には鉤片１３が形成されている。側溝８は凹溝で、側溝８の溝底にはあり溝１５が開口形成されている。
【００２１】
下溝１０は凹溝状に形成されている。
【００２２】
側面部７を覆う側面カバー２ｃの下端縁には上記鉤片１３に係合する係合片１６が形成されている。側面カバー２ｂは、この係合片１６を側面部７の鉤片１３に係合し、その上部を上記傾斜部１７に重合してビス止めすることにより固定されている。また、下面カバー２ｃの両側には差し込み片１８が起立形成され、これらの差し込み片１８を下溝１０の両側に差し込み、上部をビス止めすることにより固定されている。
【００２３】
妻桁３も桁２と同じ形状、同じ大きさで、桁ブラケット１２を介して桁２に固定されている。
【００２４】
踏み板５もアルミニウムを押出成型した型材で、図５（ｂ）（ｃ）のように複数の中空空間部２０を有し、固定金具２１を介して桁２の上面に固定されている。
【００２５】
なお、図３に示されるように、踏み板５の桁２からの張り出し寸法ｗ１と、妻桁３からの張り出し寸法ｗ２とは同寸に設定されている。また、踏み板５の端部には小口蓋が取り付けられている。
【００２６】
次に、上記構成のデッキユニットＡは互いに連結金具を介して連結されている。その連設形態によって次のようにして連結される。
２つのデッキユニットＡ、Ａを、図２のイ部分のように直列的に連設するときは、図５（ａ）（ｂ）（ｃ）に示されるように、互いに突き合わせられた桁２、２の小口同士を第１連結金具２２を介して連結する。
【００２７】
第１連結金具２２は図６に示されるように、上記桁２の側面に固定可能なプレート金具で構成され、両端に開口する長孔２５が形成されている。第１連結金具２２は、２つのデッキユニットＡ、Ａの互いにつき合わせられた小口の外側の側面部７の側溝８に嵌合され、固定ボルト２６、ナット２７により桁２に固定されている。その際、固定ボルト２６の頭部を桁２の側溝８の底部のあり溝１５に桁２の端部から固定位置までスライドして挿入し、さらに固定ボルト２６の軸部を第１連結金具２２の長孔２５に沿ってスライドして外側からナット２７で締結固定すればよい。
【００２８】
以上により、２つのデッキユニットＡ、Ａを直列的に連設することができる。
また、図２のロ部分のように２つのデッキユニットＡ、Ａを並列的に連設するときは、図７（ａ）（ｂ）に示されるように、互いに隣接した桁２、２同士を第２連結金具２３を介して連結する。
【００２９】
第２連結金具２３は、側面金具３０と第１連結プレート３１とから構成されている。側面金具３０は、桁２の側溝８に嵌合する固定片３２と固定片３２の中央から突出する１対の側面視三角形状のジョイント部３３とを備え、ジョイント部３３の間には嵌合溝３４が形成されている。固定片３２には固定ボルト２６の受け溝３４が形成されている。そして、上記側溝８の底部のあり溝１５には固定ボルト２６の頭部が桁２の端部から固定位置までスライドして挿入され、側面金具３０は上記固定片３２を固定ボルト２６に挿通しナット２７に螺合して締結固定されている。
【００３０】
なお、側面金具３０は側溝８に沿ってスライドさせることができ、固定ボルト２６もあり溝１５に沿ってスライドさせることができるので、側面金具３０は桁２の任意の位置に固定することが可能である。
【００３１】
第１連結プレート３１は上記嵌合溝３４に嵌入する厚さに形成されている。
並列配置されたデッキユニットＡ、Ａを連結するときは、桁２、２の互いに向き合う位置にそれぞれ側面金具３０を固定し、両側面金具３０のジョイント部３３の嵌合溝３４に第１連結プレート３１を嵌入し、各ジョイント部３３、３３と第１連結プレート３１とを固定ボルト２６、ナット２７で締結固定すればよい。
【００３２】
以上により、２つのデッキユニットＡ、Ａを並列的に連設することができる。
【００３３】
さらに、図２のハ部分のように２つのデッキユニットＡ、Ａを直角に連設するときは、図８（ａ）（ｂ）に示されるように、一方のデッキユニットＡの桁２の小口と他方のデッキユニットＡの桁２の外側面とを第３連結金具２４を介して連結する。
【００３４】
第３連結金具２４は、桁小口金具３５と側面金具３０と第２連結プレート３９とから構成されている。
【００３５】
図９（ａ）〜（ｃ）及び図１０に示されるように、桁小口金具３５は、桁２の小口に当接する固定板３６と、固定板３６の中央から表側に突出する側面視三角形状のジョイント部３７と、固定板３６から背面側に突出する1対の脚片３８とから構成され、固定板３６を桁２の小口に当接し、脚片３８を桁２の側溝８に嵌合し、脚片３８の長孔２８にボルト２６、ナット２７で締結固定されている。この場合も、図５（ｂ）の場合と同様に、ボルト２６の頭部は桁２のあり溝１５に挿入され、脚片３８の長孔２８に沿ってスライドさせ外側からナット２７で締め付ければよい。上記ジョイント部３７も嵌合溝３４を備えているとともに、桁２の延長方向に突出している。
【００３６】
側面金具３０は、桁２の側面に固定されて上記側面から外側に突出するジョイント部３３を有するもので、上述の側面金具３０とおなじである。
【００３７】
第２連結プレート３９も、上記第１連結プレート３１とほぼ同形であり、長さが、やや短い。
【００３８】
このように、直角に配置された２つのデッキユニットＡを連結するときは、一方のデッキユニットＡの桁２の側面に固定した側面金具３０のジョイント部３３と、他方のデッキユニットＡの桁２の小口に固定した桁小口金具３５のジョイント部３７とを向き合わせ、ジョイント部３３、３７の嵌合溝に第２連結プレート３９を嵌入し、各ジョイント部３３、３７と第２連結プレート３９とをボルト２６、ナット２７で固定すればよい。
【００３９】
なお、上記第１〜第３連結金具によるデッキユニットＡ、Ａ間の連結距離は、全ての連結態様において常に同じなるように設定しておく。
【００４０】
また、連設されたデッキユニットＡ、Ａ・・・を支柱４０の上に配設するときは、図５（ｂ）及び図７（ｂ）に示されるように、断面が方形の支柱４０の上端をデッキユニットＡの桁２の下溝１０に嵌合固定し、ボルト、ナットで締結固定すればよい。
【００４１】
さらに、上記桁２の側溝８と下溝１０には円弧状の側面カバー２ｂと下面カバー２ｃとを取り付けるが、その際、プレート金具２２を覆い隠し、桁側面金具３０と支柱４０には干渉しないように取りつける。
【００４２】
上述の連結構成によれば、1種類のデッキユニットＡと３種類の連結金具とによって、デッキユニットＡを直列にも並列にも直角にも連設することが自由にできるので、多様なバリエーションの連結態様が得られるので、デザインの自由度が高く、展開性に富み、意匠性に優れる新しいデッキスペースを造ることができる。
【００４３】
また、簡単な構造の連結金具によりデッキユニットＡを連結できるので、施工性がよい。
【００４４】
また、アルミニウムの押出型材によってデッキユニットＡを構成でき、また、5種類の金具によってすべてに対応することができるので、コストを低く抑えることができる。
しかも、側面金具３０は桁２や妻桁３の任意の位置に固定することができるので、施工性がよい。
【００４５】
デッキの桁２を見掛け上は円柱のように見せることができるので、美的外観が得られる。
【００４６】
なお、踏み板５の桁２からの張り出し寸法ｗ１と、妻桁３からの張り出し寸法ｗ２とは同寸に設定されているから、図１１（ａ）（ｂ）に示されるような幅違いのデッキユニットＡ、Ａ１にも、直角連結の場合に使用したものと同じ第３連結金具で連結することができる。
【００４７】
すなわち、幅違いのデッキユニットＡ、Ａ１を図１１（ａ）のように連結する場合は、図１２（ａ）（ｂ）に示されるように、幅広のデッキユニットＡの妻桁３に側面金具３０を所定の位置にスライドして固定し、幅狭のデッキユニットＡの桁小口には桁小口金具３５を固定し、さらに側面金具３０と桁小口金具３５のジョイント部３７を第２連結プレート３９で連結するので、第３連結金具２４を用いればよい。この連結態様が直角連結の場合と異なるのは、側面金具３０が桁２か妻桁３かという点だけである。妻桁３は桁２と同形同大であるから、同じ側面金具３０を使用することができる。また、第２連結プレート３９の長さは、直角連結の場合の桁２の外側面からの張り出し寸法ｗ１と上記踏み板５の妻桁３の側面からの張り出し寸法ｗ２とが同じかどうかに関係するものであり、両者は同じであるから、第２連結プレート３９も直角連結の場合と同じものを使用することができる。そして、デッキユニット間の間隔も同じになる。
【００４８】
なお、図１１（ｂ）のように連結する場合、図5に示す第１連結金具２２と第３連結金具とを利用すればよい。このように、いずれの場合も、第１〜第３連結金具によって対応することができる。
【００４９】
このように、幅違いのデッキユニットＡ、Ａ１があれば、現場の状況に即応することができる。例えば、デッキをめぐらす予定の場所の一部に植え込みがあるとした場合、その部分には幅狭のデッキユニットＡ１を配設して幅広デッキユニットＡとの間に植え込みとの干渉を避ける空間を作ることができる。
次に、連設されたデッキの側部に沿って手摺を設けるときは、図１３（ａ）（ｂ）に示されるように、桁２の側溝８にブラケット４０を固定し、このブラケット４０に手摺接続部材４９を固定する。手摺接続部材４９は、略方形の中空部４１の外側に断面円弧状のカバー材４２を取り付けることによって見掛け上円柱状に見せている。中空部４１の先端部近傍には円形状の開口部４３が貫通形成され、この開口部４３には手摺柱４６が嵌合され、ボルト２６により固定されている。なお、図１３（ｂ）は開口部４３で切断しているので、中空部４１は中空に現れていないが、開口部４３の位置に中空部４１の上下壁が形成されている。  また、最上部のカバー材４２には手摺柱4を嵌挿させる穴が貫通形成されている。さらに、手摺柱４６の内部には補強芯材４７が、外部にスペーサ４８が配置されている。
【００５０】
上記構成によれば、手摺柱４６は踏み板５の外側に配置されているので、デッキスペースに余裕をもたせることができる。
【００５１】
以上のようにしてデッキユニットＡに取り付けられた手摺柱の上端には手摺を連結すればよい。
【００５２】
また、連設されたデッキユニットＡの端部に階段を設ける場合には、図１４及び図１５に示されるように、桁２の下溝１０に桁下金具４５の一端を固定する一方、階段桁５４の上端の小口に桁小口金具４４を取り付け、桁下金具４５の他端と桁小口金具４４とをボルト２６とナット２７で締結固定すればよい。階段桁５４に踏板受け５１を所定間隔に設け、該踏板受け５１に踏板５３が取り付けられた階段桁５４の上端の小口に桁小口金具４４を取り付け、桁下金具４５の他端と桁小口金具４４とをボルト２６とナット２７で締結固定すればよい。
【００５３】
なお、桁下金具４５は桁２のした溝１０に沿ってスライドして任意の位置に固定することができるから、階段を自由な位置に設置することができる。
【００５４】
また、踏み板５はデッキスペースの全面にフラットになるように配設することによりバリアフリーに対応することができる。
【００５５】
次に、図１６に示されるように、デッキスペースの一側に沿って一定の間隔をおいてデッキスペースＤを覆う庇屋根を配設することができる。この場合、庇屋根５５は、風通し、日当たり等を重視して支柱５６により支持してもよいが、庇屋根５５を支持する支持手段としては、スパンドレルや壁躯体を選択してもよい。
【図面の簡単な説明】
【００５６】
【図１】本発明に係るデッキ連設構造の一部の斜視図
【図２】デッキ連設構造の全体の平面図
【図３】デッキユニットの平面図
【図４】図３のａ−ａ線上の断面図
【図５】（ａ）はデッキユニットの直列連結状態の要部の平面図、（ｂ）は（ａ）のｂ−ｂ線上の断面図であり、（ｃ）は（ａ）のｃ−ｃ線上の断面図
【図６】第１連結金具の正面図
【図７】（ａ）はデッキユニットの並列連結状態の要部の平面図であり、（ｂ）は（ａ）のｄ−ｄ線上の断面図
【図８】（ａ）はデッキユニットの直角連結状態の要部の平面図であり、（ｂ）は（ａ）のｅ−ｅ線上の断面図
【図９】第３連結金具の桁小口金具の（ａ）は正面図、（ｂ）は底面図、（ｃ）は右側面図
【図１０】桁小口金具と桁との連結態様説明図
【図１１】出幅違いのデッキユニットの連設態様を示す平面図
【図１２】（ａ）は上記デッキユニットの連結状態の平面図であり、（ｂ）は（ａ）のｆ−ｆ線上の断面図
【図１３】手摺を取り付けた状態の（ａ）は正面図、（ｂ）は（ａ）の側面の断面図
【図１４】階段を取付けた状態の断面図
【図１５】桁と階段桁との取付状態を示す正面要部の一部断面図
【図１６】デッキスペース上に庇屋根を取り付けた状態を示す斜視図
【符号の説明】
【００５７】
Ａ  デッキユニット
２  桁
３  妻桁
５  踏み板
８  側溝
１０  下溝
２３  第２連結金具
２４  第３連結金具
３０  側面金具
３１  第１連結プレート
３５  桁小口金具
３９  第２連結プレート
【図１】
2009197524.tif 000003
【図２】
2009197524.tif 000004
【図３】
2009197524.tif 000005
【図４】
2009197524.tif 000006
【図５】
2009197524.tif 000007
【図６】
2009197524.tif 000008
【図７】
2009197524.tif 000009
【図８】
2009197524.tif 000010
【図９】
2009197524.tif 000011
【図１０】
2009197524.tif 000012
【図１１】
2009197524.tif 000013
【図１２】
2009197524.tif 000014
【図１３】
2009197524.tif 000015
【図１４】
2009197524.tif 000016
【図１５】
2009197524.tif 000017
【図１６】
2009197524.tif 000018